(57)【要約】【課題】窓廻りの建築用パネル施工に用いられる、見切縁等の壁から伝う埃等により詰まり、雨水が溜まりやすくなる、雨漏れを防止する隅角部材と雨仕舞の向上した壁構造を得る。【解決手段】窓上に水切を施工し、窓脇に見切縁を施工して、被覆部材を被せてその接続する角部を覆う、隅角部材とそれを使用する壁構造とする。【選択図】  図１
2005330790.tif 000002
【特許請求の範囲】
【請求項１】
建築用パネルの端部を覆う見切縁の見切辺と、その見切縁に交差して取り付けられる、建築用パネルの下端部に取り付けた水切の、雨水を壁の外方に流す流水面とそれに続く水切面との接続する角部において、その見切辺と水切面との隙間を覆う事を特徴とする隅角部材。
【請求項２】
請求項１の隅角部材が、見切縁の見切辺と水切の水切面との隙間を覆う、被覆機能と、壁下地に保持する保持機能とからなる隅角部材。
【請求項３】
被覆機能が被覆部材からなり、保持機能が保持具からなり、その被覆部材と保持具とを組み合わせてなる請求項２の隅角部材。
【請求項４】
見切縁を固定する釘打片と、水切を固定する釘打面との間を覆う、遮水機能を持つ、請求項１〜３の隅角部材。
【請求項５】
請求項１〜４の隅角部材を使用する壁構造。
【発明の詳細な説明】
【技術分野】
【０００１】  この発明は、窓上コーナーの建築用パネル施工に用いられる、隅角部材とそれを使用する壁構造に関する。
【背景技術】
【０００２】  従来、窓廻りの建築用パネル施工に用いられる、見切縁をＬ字形に固定して、そのコーナーには施工による隙間が発生し、雨水の侵入や美観が低下するため、そのコーナーに被覆部材を被せる、壁部材と壁構造が知られている。
（例えば、特許文献１参照。）
【特許文献１】実公平３−２３９３２号公報
【発明の開示】
【発明が解決しようとする課題】
【０００３】  従来の技術には、窓上コーナーに施工すると、見切縁が窓上方向に開口し、壁から伝う埃等により詰まり、雨水が溜まりやすくなり、雨漏れの原因になる。
【課題を解決するための手段】
【０００４】  この発明は、窓上に水切を施工し、窓脇に見切縁を施工して、被覆部材を被せてその接続する角部を覆う、隅角部材とそれを使用する壁構造とする。
【発明の効果】
【０００５】  この発明による隅角部材とそれを使用する壁構造には、次のような効果がある。【０００６】Ａ．見切縁の見切辺と、その見切縁に交差して取り付けられる、建築用パネルの下端部に取り付けた水切の、雨水を壁の外方に流す流水面とそれに続く水切面との接続する角部において、その見切辺と水切面とを覆う隅角部材とする事により、
ａ．窓上コーナーに施工しても、
イ．見切縁が窓上方向に開口し、壁から伝う埃等により詰まり、雨水が溜まりやすくなり、雨漏れの原因になること無く、
ロ．建築用パネルの下端部に取り付け、雨水を壁の外方に流す流水面を持つ水切を施工して、雨水の溜まりを防止して、雨漏れを解消し、
ハ．見切縁の見切辺と水切の水切面との接続する角部の隙間を隅角部材により覆い、施工性が向上し、美観が向上する。【０００７】Ｂ．見切縁の見切辺と水切の水切面との隙間を覆う被覆機能と、壁下地に保持する保持機能とを一体に持つ隅角部材とする事により、
ａ．隅角部材の種類を減らせて、
ｂ．被覆機能と保持機能との間の施工ミス等を無くし、確実なものとする。【０００８】Ｃ．見切縁の見切辺と水切の水切面との隙間を覆う被覆機能を持つ被覆部材と、壁下地に保持する保持機能とを持つ保持具との、別々の部材として持つ隅角部材とする事により、
ａ．部材の構造が簡単になり、
イ．製造金型等が簡単になり、製造が容易になり、
ｂ．別々の素材が使用可能になり、
イ．最適な素材が使用可能になり、
ｃ．建築用パネルを施工後に被覆部材を施工可能になり、
イ．施工途中での被覆部材の損傷を容易に回避可能になり、
ｄ．見切縁をＬ字形に固定した窓下のコーナーの被覆部材が共通して使用可能になり、
イ．設備投資が減少する。【０００９】Ｄ．見切縁を固定する釘打片と、水切を固定する釘打面との間を覆う、遮水機能を持つ隅角部材とする事により、
ａ．壁面内部への漏水防止を、容易で確実に向上可能になり、
ｂ．遮水機能を一体に持つ部材とすると、
イ．施工性が向上し、
ｃ．遮水機能を別部材とすることにより、
イ．部材の構造が簡単になり、製造金型等が簡単になり、製造が容易になり、
ロ．別々の素材が使用可能になり、最適な素材が使用可能になる。【００１０】Ｅ．この発明の隅角部材を使用する壁構造とすることにより、
ａ．窓廻りを見切縁の見切辺の幅と統一感のある、枠取りにより囲うことが容易になり、
イ．壁面の意匠性が向上し、
ｂ．雨仕舞性能が向上し、コーキングが不要になり、
イ．コーキングの劣化による汚れを防止して美観が向上し、
ロ．コーキング手間が省け、施工性が向上し、コストが下がる。
【発明を実施するための最良の形態】
【００１１】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板等を使用する。【００１２】Ｂ．この発明に使用される建築用パネルや水切受材の固定は、
ａ．釘打ちには、次に代表される、固定具を使用する。
イ．タッピングビス
ロ．釘
ハ．ホッチキス
ニ．木ネジ
ホ．ポップリベット等【００１３】Ｃ．この発明に使用される建築用パネルの裏打材は、
ａ．次に代表される発泡合成樹脂に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等【００１４】Ｄ．この発明に使用される遮水板や遮水テープや保持具は、
ａ．金属板や、
ｂ．ダイキャストや、
ｃ．合成樹脂や、
ｄ．粘着テープ等による。【００１５】  発明の実施例について、次の、実施例１、実施例２、実施例３、実施例４、及び実施例５により、図面を参照して説明する。
【実施例１】
【００１６】  図１，図２，図３，図４，図５，及び図６は、この発明の実施例１を示すものである。【００１７】Ａ．図３に示す、実施例１においての建築用パネル１は、
ａ．金属板９による長尺の表面材１ａを成形して、次のような前面部１ｃと溝部１ｄとを持つ、前面基部１ｂを形成し、
イ．ほぼ平坦で細長い前面部１ｃと、
ロ．裏面側に長い底辺を欠いた等脚台形に折り曲げた、溝部１ｄとを、
ハ．交互に複数構成し、その両側に前面部１ｃを設けた前面基部１ｂとし、
ｂ．その前面基部１ｂの一側端に、次のような差込片１ｅを形成し、
イ．表面材１ａを裏面側にくの字形に折り曲げ、さらに裏面側に鋭角的に折り曲げ、
ロ．さらに、クランク状に表面側に折り曲げて、そして、Ｕ字形に表面側に折り曲げて、先端を裏面側に折り返した差込片１ｅを形成し、
ｃ．また、その前面基部１ｂの他側端に、次のような嵌合溝１ｆと釘打片１ｇを形成し、
イ．表面材１ａを、裏面側にくの字形に折り曲げて、さらに裏面側にくの字形に折り曲げ、そして裏面側に折り返して、次にＵ字形に表面側に折り曲げて、嵌合溝１ｆを形成し、
ロ．その嵌合溝１ｆを延長し、途中が半円形に表面側に突起し、先端を表面側に折り返した釘打片１ｇを形成し、
ｄ．その成形した表面材１ａの裏面側に、
イ．差込片１ｅの先端の折り返しに裏面紙１ｉの側端を挿入し、その裏面紙１ｉの他側端を釘打片１ｇに乗せて、
ロ．その裏面紙１ｉにより覆われた発泡合成樹脂１０ａによる、裏打材１ｈを形成し、
ハ．その長手方向の端部に切断端１ｊを形成している。【００１８】Ｂ．図４に示す、実施例１の見切縁２は、金属板９を成形して、
ａ．平坦な一端を裏面側に折り返した見切辺２ｂを形成し、
ｂ．その見切辺２ｂの他端を、裏面側にＬ字形に折り曲げて、次のような係止溝２ｄを持つ見切底２ｃを形成し、
イ．その係止溝２ｄは、前記の見切辺２ｂ側の見切底２ｃを浅い皿状に裏面側に窪めた係止溝２ｄとし、
ｃ．その見切底２ｃをＬ字形に裏面側に折り曲げて、途中に断面半円状の突条を持ち先端を表面側に折り返した、釘打辺２ａを形成し、
ｄ．それらの見切辺２ｂと見切底２ｃと釘打辺２ａとにより、裏面側に開口する樋状の見切樋２ｅを構成する。【００１９】Ｃ．図５に示す、実施例１の水切３は、金属板９を成形して、
ａ．平坦な一端を裏面側に折り返した水切面３ｄを形成し、
ｂ．その水切面３ｄの他端を裏面側にくの字形に折り曲げて、流水面３ｂを形成し、
ｃ．その流水面３ｂをくの字形に表面側に折り曲げて、先端を表面側に折り返した、釘打面３ａを形成する。【００２０】Ｄ．図６に示す、実施例１の隅角部材４は、金属板９を成形して、
ａ．ほぼ直角二等辺三角形の斜辺の中央部を、一回り小さな直角二等辺三角形により、切り欠かれた形状の連係片４ｅとし、
ｂ．その連係片４ｅの、直角を構成する外辺を、裏面側に半円形に折り曲げて引掛片４ｆを形成し、
ｃ．その引掛片４ｆの向かい側の連係片４ｅを裏面側にＬ字形に折り曲げ、ほぼ矩形で鈍角なクランク状に裏面側に折り曲げた、押止片４ｇを形成し、
ｄ．また、前記引掛片４ｆに直交する他辺を、くの字形に裏面側に折り曲げて、流水板４ｃを形成し、
ｅ．その流水板４ｃを、くの字形に表面側に折り曲げて、その先端を表面側に折り返した、固定片４ａを形成し、
ｆ．その固定片４ａを側方に延長して、途中に浅い皿状の表面側への突起を持ち、先端を表面側に折り返した、遮水片４ｂを形成し、
ｇ．前記の流水板４ｃの引掛片４ｆ側の側端を、裏面側にＬ字形に折り曲げて、導水片４ｄを形成し、
ｈ．そして、この隅角部材４と対称な隅角部材４とを組み合わせて、一対の隅角部材４を構成する。【００２１】Ｅ．図１及び図２に示す、実施例１の壁面８の施工は、
ａ．壁下地８ａを構成する、右と左の柱８ｂと、それらの柱８ｂとの間に取り付けられた、上と下との窓まぐさ８ｃとの間に、半外付けの窓枠８ｅを固定し、
ｂ．そして、次のように胴縁８ｄを柱８ｂに施工し、
イ．その窓枠８ｅの外方に向かう下り勾配による水切機能を持つ、窓上枠８ｆの上方に沿って、次の水切３を施工するのに十分な幅を確保する為、時に胴縁８ｄを、２本接続して施工し、
ロ．また、壁面８の適宜な個所に胴縁８ｄを施工し、
ｃ．その胴縁８ｄに、次のように前記水切３を施工し、
イ．前記の窓上枠８ｆの寸法にほぼ合わせて、切断したわずかに短い水切３を、
ロ．前記の窓上枠８ｆの上方に水切面３ｄを沿わせて設置し、その釘打面３ａを釘打ち固定し、
ｄ．次に、見切縁２を次のように施工し、
イ．その水切３の水切面３ｄの幅と、前記の窓枠８ｅの左右の枠である、窓縦枠８ｇの長さとを加えた長さに合わせて、切断した見切縁２を、
ロ．その見切縁２の見切底２ｃを、窓縦枠８ｇに沿わして、その釘打辺２ａを釘打ち固定し、
ｅ．それから、次のように隅角部材４を施工し、
イ．その水切３の水切面３ｄと、見切縁２の見切辺２ｂとの角に、隅角部材４の連係片４ｅを被せて、
ロ．水切３の流水面３ｂに、隅角部材４の流水板４ｃを乗せて、
ハ．見切縁２の見切辺２ｂの先端に、隅角部材４の引掛片４ｆを引掛て、
ニ．見切縁２の係止溝２ｄに、隅角部材４の押止片４ｇを差し込み、
ホ．見切縁２の見切底２ｃの端部を、隅角部材４の導水片４ｄにより覆い、
ヘ．隅角部材４の固定片４ａを釘打ち固定し、
ｆ．上記のように、施工された窓廻りの、壁下地８ａに、建築用パネル１を次のように施工し、
イ．この壁面８に続く、すでに施工された建築用パネル１の嵌合溝１ｆに、
ロ．窓枠８ｅ部の壁面８の形状に合わせて、切り欠いた建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地８ａに充当する複数の建築用パネル１による、壁面８を施工する。
【実施例２】
【００２２】  図３，図４，図７，図８，図９，図１０，及び図１１は、この発明の実施例２を示すものである。【００２３】Ａ．図３に示す、実施例２においての建築用パネル１は、実施例１と同じものである。【００２４】Ｂ．図４に示す、実施例２においての見切縁２は、実施例１と同じものである。【００２５】Ｃ．図９に示す、実施例２の水切３は、金属板９を成形して、
ａ．平坦な水切面３ｄの一端を裏面側に半円形に折り曲げて、更に、くの字形に表面側に折り曲げて、水切脚３ｅを形成し、
イ．その水切脚３ｅの先端を表面側に折り返して、水切脚３ｅの水切面３ｄ側と折り返しにより脚部溝３ｆを形成し、
ｂ．その水切面３ｄの他端を裏面側に半円形に折り曲げて、更に、くの字形に表面側に折り曲げて、そして、クランク状に表面側に折り曲げて、流水溝３ｃを形成し、
ｃ．その流水溝３ｃから延長して、流水面３ｂを形成し、
ｄ．その流水面３ｂをくの字形に表面側に折り曲げて、先端を表面側に折り返した、釘打面３ａを形成する。【００２６】Ｄ．図１０に示す、実施例２の隅角部材４である保持具５は、合成樹脂１０を成形して、
ａ．前記の水切３の流水面３ｂと流水溝３ｃを、それぞれ、受ける形状の、流水端５ａと流水溝端５ｂとを形成し、
ｂ．その流水端５ａに対して直交し、流水端５ａを水切３に合わせた時に、水切３の釘打面３ａに対しても直交する面に、
イ．前記の見切縁２の見切底２ｃに見切樋２ｅの内側から接触する導水端５ｄを形成し、
ロ．見切縁２の係止溝２ｄに、見切樋２ｅの外側から接触する係止溝端５ｅとを形成し、
ハ．その導水端５ｄと係止溝端５ｅとの間には、見切縁２の金属板９が差し込まれる隙間を形成している。
ｃ．そして、この保持具５と対称な保持具５とを組み合わせて、一対の保持具５を構成する。【００２７】Ｅ．図１１に示す、実施例２の隅角部材４である被覆部材６は、金属板９を成形して、
ａ．ほぼ直角二等辺三角形の斜辺の中央部を、一回り小さな直角二等辺三角形により、切り欠かれた形状の連係面６ａとし、
ｂ．その連係面６ａの、直角を構成する両外辺を、裏面側に半円形に折り曲げて引掛端６ｂを形成し、
ｃ．その引掛端６ｂの向かい側の連係面６ａを裏面側にＬ字形に折り曲げ、ほぼ矩形で鈍角なクランク状に裏面側に折り曲げた、押止端６ｃを形成する。【００２８】Ｆ．図７及び図８に示す、実施例２の壁面８の施工は、
ａ．壁下地８ａを構成する、右と左の柱８ｂと、それらの柱８ｂとの間に取り付けられた、上と下との窓まぐさ８ｃとの間に、外付けの窓枠８ｅを固定し、
ｂ．そして、次のように胴縁８ｄを柱８ｂに施工し、
イ．その窓枠８ｅの外方に向かう下り勾配による水切機能を持つ、窓上枠８ｆの上方に沿って、次の水切３を施工するのに十分な幅を確保する為、時に胴縁８ｄを、２本接続して施工し、
ロ．また、壁面８の適宜な個所に胴縁８ｄを施工し、
ｃ．その胴縁８ｄに、次のように前記水切３を施工し、
イ．前記の窓上枠８ｆの寸法にほぼ合わせて、切断したわずかに短い水切３を、
ロ．前記の窓上枠８ｆの上方に水切面３ｄを沿わせて設置し、その釘打面３ａを釘打ち固定し、
ｄ．次に、次のように保持具５を取り付けた、前記の見切縁２を次のように施工し、
イ．その水切３の水切面３ｄの幅と、前記の窓枠８ｅの左右の枠である、窓縦枠８ｇの長さとを加えた長さからわずか短く合わせて、切断した見切縁２の一端に、
○見切縁２の見切底２ｃに、保持具５の導水端５ｄを見切樋２ｅの内側から接触させ、
○見切縁２の係止溝２ｄに、保持具５の係止溝端５ｅを見切樋２ｅの外側から接触させ、
○その導水端５ｄと係止溝端５ｅとの隙間に、見切縁２の金属板９を差し込み、
ロ．その取り付けた保持具５の、流水端５ａと流水溝端５ｂとを、前記の水切３の流水面３ｂと流水溝３ｃと、窓上枠８ｆとの間に、それぞれ、差し込み、
ハ．その見切縁２の見切底２ｃを、窓縦枠８ｇに沿わして、その釘打辺２ａを釘打ち固定し、
ニ．前記の水切３の釘打面３ａと、見切縁２の釘打辺２ａとに亘って、遮水テープ７ｃを貼り付け、
ｅ．上記のように、施工された窓廻りの、壁下地８ａに、建築用パネル１を次のように施工し、
イ．この壁面８に続く、すでに施工された建築用パネル１の嵌合溝１ｆに、
ロ．窓枠８ｅ部の壁面８の形状に合わせて、切り欠いた建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地８ａに充当する複数の建築用パネル１による、壁面８を施工し、
ｆ．それから、次のように被覆部材６を施工し、
イ．その水切３の水切面３ｄと、見切縁２の見切辺２ｂとの角に、被覆部材６の連係面６ａを被せて、
ロ．見切縁２の見切辺２ｂの先端に、被覆部材６の一方の引掛端６ｂを引掛て、
ハ．見切縁２の係止溝２ｄに、被覆部材６の一方の押止端６ｃを差し込み、
ニ．水切３の流水溝３ｃの角部に、被覆部材６の他方の引掛端６ｂを引掛て、
ホ．水切３の脚部溝３ｆに、被覆部材６の−方の押止端６ｃを差し込み施工する。
【実施例３】
【００２９】  図３，図４，図１２，図１３，図１４，及び図１５は、この発明の実施例３を示すものである。【００３０】Ａ．図３に示す、実施例３においての建築用パネル１は、実施例１と同じものである。【００３１】Ｂ．図４に示す、実施例３においての見切縁２は、実施例１と同じものである。【００３２】Ｃ．図１４に示す、実施例３の水切３は、ほぼ実施例１と同様で、水切面３ｄがわずかに狭く形成されている。【００３３】Ｄ．図１５に示す、実施例３の隅角部材４である保持具５は、金属板９を成形して、
ａ．平坦な水切端５ｆの一端を裏面側に半円形に折り曲げて、更に、くの字形に表面側に折り曲げて、水切脚端５ｇを形成し、
イ．その水切脚端５ｇの先端を表面側に折り返して、水切脚端５ｇの水切端５ｆ側と折り返しにより脚溝端５ｈを形成し、
ｂ．その水切端５ｆの他端を裏面側に半円形に折り曲げて、流水突端５ｃを形成し、
ｃ．その流水突端５ｃを、わずかに鋭角的に表面側に折り曲げて、流水端５ａを形成し、
ｄ．その流水端５ａをくの字形に表面側に折り曲げて、先端を表面側に折り返した、固定端５ｉを形成し、
ｅ．その固定端５ｉを側方に延長して、途中に浅い皿状の表面側への突起を持ち、先端を表面側に折り返した、遮水端５ｊを形成し、
ｆ．前記の流水端５ａ一側端を、裏面側にＬ字形に折り曲げて、導水端５ｄを形成し、
ｈ．そして、この保持具５と対称な保持具５とを組み合わせて、一対の保持具５を構成する。【００３４】Ｅ．図１１に示す、実施例３の隅角部材４である被覆部材６は、実施例２と同じものである。【００３５】Ｆ．図１２及び図１３に示す、実施例３の壁面８の施工は、
ａ．壁下地８ａを構成する、右と左の柱８ｂと、それらの柱８ｂとの間に取り付けられた、上と下との窓まぐさ８ｃとの間に、半外付けの窓枠８ｅを固定し、
ｂ．そして、次のように胴縁８ｄを柱８ｂに施工し、
イ．その窓枠８ｅの外方に向かう下り勾配による水切機能を持つ、窓上枠８ｆの上方に沿って、次の水切３を施工するのに十分な幅を確保する為、時に胴縁８ｄを、２本接続して施工し、
ロ．また、壁面８の適宜な個所に胴縁８ｄを施工し、
ｃ．その胴縁８ｄに、次のように前記水切３を施工し、
イ．前記の窓上枠８ｆの寸法にほぼ合わせて、切断したわずかに短い水切３を、ロ．前記の窓上枠８ｆの上方に水切面３ｄを沿わせて設置し、その釘打面３ａを釘打ち固定し、
ｄ．次に、見切縁２を次のように施工し、
イ．その水切３の水切面３ｄの幅と、前記の窓枠８ｅの左右の枠である、窓縦枠８ｇの長さとを加えた長さに合わせて、切断した見切縁２を、
ロ．その見切縁２の見切底２ｃを、窓縦枠８ｇに沿わして、その釘打辺２ａを釘打ち固定し、
ｅ．それから、次のように保持具５を施工し、
イ．その見切縁２との角の、水切３の水切面３ｄに、保持具５の水切端５ｆを被せて、
ロ．水切３の流水面３ｂに、保持具５の流水端５ａを乗せて、
ハ．水切３の水切面３ｄの先端を、保持具５の脚溝端５ｉと水切端５ｆとの角に差し込み、
ニ．見切縁２の見切底２ｃの端部を、保持具５の導水端５ｄにより覆い、
ホ．水切３の釘打面３ａに、保持具５の固定端５ｉを被せて、釘打ち固定し、
ｆ．上記のように、施工された窓廻りの、壁下地８ａに、建築用パネル１を次のように施工し、
イ．この壁面８に続く、すでに施工された建築用パネル１の嵌合溝１ｆに、
ロ．窓枠８ｅ部の壁面８の形状に合わせて、切り欠いた建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地８ａに充当する複数の建築用パネル１による、壁面８を施工し、
ｇ．それから、次のように被覆部材６を施工し、
イ．その水切３の水切面３ｄと、見切縁２の見切辺２ｂとの角に、被覆部材６の連係面６ａを被せて、
ロ．見切縁２の見切辺２ｂの先端に、被覆部材６の一方の引掛端６ｂを引掛て、
ハ．見切縁２の係止溝２ｄに、被覆部材６の一方の押止端６ｃを差し込み、
ニ．保持具５の流水突端５ｃに、被覆部材６の他方の引掛端６ｂを引掛て、
ホ．保持具５の脚溝端５ｈに、被覆部材６の一方の押止端６ｃを差し込み施工する。
【実施例４】
【００３６】  図３，図４，図１１，図１４，図１６，図１７，及び図１８は、この発明の実施例４を示すものである。【００３７】Ａ．図３に示す、実施例４においての建築用パネル１は、実施例１と同じものである。【００３８】Ｂ．図９に示す、実施例４の見切縁２は、実施例２とおなじものである。【００３９】Ｃ．図１４に示す、実施例４の水切３は、実施例３とおなじものである。【００４０】Ｄ．図１８に示す、実施例４の隅角部材４である保持具５は、金属板９を成形して、
ａ．平坦な水切端５ｆの一端を裏面側に半円形に折り曲げて、更に、くの字形に表面側に折り曲げて、水切脚端５ｇを形成し、
イ．その水切脚端５ｇの先端を表面側に折り返して、水切脚端５ｇの水切端５ｆ側と折り返しにより脚溝端５ｈを形成し、
ｂ．その水切端５ｆの他端を裏面側に半円形に折り曲げて、流水突端５ｃを形成し、
ｃ．その流水突端５ｃを、わずかに鋭角的に表面側に折り曲げて、流水端５ａを形成し、
ｄ．その流水端５ａをくの字形に表面側に折り曲げて、更に、表面側に折り返した、固定端５ｉを形成し、
ｅ．その固定端５ｉをわずかに表面側にクランク状に折り曲げて側方に延長すると共に、下方に延長して、途中に浅い皿状の裏面側への突起を持ち、先端を裏面側に折り返した、遮水端５ｊを形成し、
ｆ．前記の流水端５ａ一側端を、裏面側にＬ字形に折り曲げて、導水端５ｄを形成し、
ｈ．そして、この保持具５と対称な保持具５とを組み合わせて、一対の保持具５を構成する。【００４１】Ｄ．図１１に示す、実施例４の隅角部材４である被覆部材６は、実施例２と同じものである。【００４２】Ｅ．図１６及び図１３に示す、実施例４の壁面８の施工は、保持具５が相違する以外は、実施例３とおなじ施工となる。
【実施例５】
【００４３】Ａ．図３に示す、実施例５においての建築用パネル１は、実施例２とおなじものである。【００４４】Ｂ．図４に示す、実施例５においての見切縁２は、実施例１と同じものである。【００４５】Ｃ．図５に示す、実施例５の水切３は、実施例１とおなじものである。【００４６】Ｄ．図２１に示す、実施例５の隅角部材４は、金属板９を成形して、
ａ．ほぼ直角二等辺三角形の斜辺の中央部を、一回り小さな直角二等辺三角形により、切り欠かれた形状の連係片４ｅとし、
ｂ．その連係片４ｅの、直角を構成する外辺を、裏面側に半円形に折り曲げて引掛片４ｆを形成し、
ｃ．その引掛片４ｆの向かい側の連係片４ｅを裏面側にＬ字形に折り曲げ、ほぼ矩形で鈍角なクランク状に裏面側に折り曲げた、押止片４ｇを形成し、
ｄ．また、前記引掛片４ｆに直交する他辺を、くの字形に裏面側に折り曲げて、流水板４ｃを形成し、
ｅ．その流水板４ｃを、くの字形に表面側に折り曲げて、その先端を表面側に折り返した、固定片４ａを形成し、
ｆ．前記の流水板４ｃの引掛片４ｆ側の側端を、裏面側にＬ字形に折り曲げて、導水片４ｄを形成し、
ｇ．そして、この隅角部材４と対称な隅角部材４とを組み合わせて、一対の隅角部材４を構成する。【００４７】Ｅ．図２２に示す、実施例５の隅角部材４である遮水板７は、金属板９を成形して、
ａ．平坦な固定面７ａを側方に延長すると共に、下方に延長して、途中に浅い皿状の表面側への突起を持ち、先端を表面側に折り返した、遮水面７ｂを形成する。【００４８】Ｆ．図１９及び図２０に示す、実施例５の壁面８の施工は、
ａ．壁下地８ａを構成する、右と左の柱８ｂと、それらの柱８ｂとの間に取り付けられた、上と下との窓まぐさ８ｃとの間に、外付けの窓枠８ｅを固定し、
ｂ．そして、次のように胴縁８ｄを柱８ｂに施工し、
イ．その窓枠８ｅの外方に向かう下り勾配による水切機能を持つ、窓上枠８ｆの上方に沿って、次の水切３を施工するのに十分な幅を確保する為、時に胴縁８ｄを、２本接続して施工し、
ロ．また、壁面８の適宜な個所に胴縁８ｄを施工し、
ｃ．その胴縁８ｄに、次のように前記水切３を施工し、
イ．前記の窓上枠８ｆの寸法にほぼ合わせて、切断したわずかに短い水切３を、
ロ．前記の窓上枠８ｆの上方に水切面３ｄを沿わせて設置し、その釘打面３ａを釘打ち固定し、
ｄ．次に、見切縁２を次のように施工し、
イ．その水切３の水切面３ｄの幅と、前記の窓枠８ｅの左右の枠である、窓縦枠８ｇの長さとを加えた長さに合わせて、切断した見切縁２を、
ロ．その見切縁２の見切底２ｃを、窓縦枠８ｇに沿わして、その釘打辺２ａを釘打ち固定し、
ｅ．さらに、隅角部材４の遮水板７を、次のように施工し、
イ．水切３の釘打面３ａに遮水板７の固定面７ａを乗せて、
ロ．見切縁２の釘打辺２ａに、遮水板７の遮水面７ｂの下部を乗せて、
ハ．その固定面７ａか遮水面７ｂを釘打ち固定し、
ｆ．それから、次のように隅角部材４を施工し、
イ．その水切３の水切面３ｄと、見切縁２の見切辺２ｂとの角に、隅角部材４の連係片４ｅを被せて、
ロ．水切３の流水面３ｂに、隅角部材４の流水板４ｃを乗せて、
ハ．見切縁２の見切辺２ｂの先端に、隅角部材４の引掛片４ｆを引掛て、
ニ．見切縁２の係止溝２ｄに、隅角部材４の押止片４ｇを差し込み、
ホ．見切縁２の見切底２ｃの端部を、隅角部材４の導水片４ｄにより覆い、
ヘ．隅角部材４の固定片４ａを釘打ち固定し、
ｇ．上記のように、施工された窓廻りの、壁下地８ａに、建築用パネル１を次のように施工し、
イ．この壁面８に続く、すでに施工された建築用パネル１の嵌合溝１ｆに、
ロ．窓枠８ｅ部の壁面８の形状に合わせて、切り欠いた建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地８ａに充当する複数の建築用パネル１による、壁面８を施工する。
【図面の簡単な説明】
【００４９】
【図１】  壁面の施工状態を示す一部省略斜視図（実施例１）
【図２】  壁面の施工状態を示す一部省略斜視図（実施例１）
【図３】  建築用パネルを示す一部省略斜視図（実施例１〜５）
【図４】  見切縁を示す一部省略斜視図（実施例１〜５）
【図５】  水切を示す一部省略斜視図（実施例１、５）
【図６】  隅角部材を示す斜視図（実施例１）
【図７】  壁面の施工状態を示す一部省略斜視図（実施例２）
【図８】  壁面の施工状態を示す一部省略斜視図（実施例２）
【図９】  水切を示す一部省略斜視図（実施例２）
【図１０】  保持具を示す斜視図（実施例２）
【図１１】  被覆部材を示す斜視図（実施例２〜４）
【図１２】  壁面の施工状態を示す一部省略斜視図（実施例３）
【図１３】  壁面の施工状態を示す一部省略斜視図（実施例３）
【図１４】  水切を示す一部省略斜視図（実施例３、４）
【図１５】  保持具を示す斜視図（実施例３）
【図１６】  壁面の施工状態を示す一部省略斜視図（実施例４）
【図１７】  壁面の施工状態を示す一部省略斜視図（実施例４）
【図１８】  保持具を示す斜視図（実施例４）
【図１９】  壁面の施工状態を示す一部省略斜視図（実施例５）
【図２０】  壁面の施工状態を示す一部省略斜視図（実施例５）
【図２１】  隅角部材を示す斜視図（実施例５）
【図２２】  遮水板を示す斜視図（実施例５）
【符号の説明】
【００５０】  １  建築用パネル
２  見切縁
３  水切
４  隅角部材
５  保持具
６  被覆部材
７  遮水板
８  壁面
９  金属板
１０  合成樹脂
【図１】
2005330790.tif 000003
【図２】
2005330790.tif 000004
【図３】
2005330790.tif 000005
【図４】
2005330790.tif 000006
【図５】
2005330790.tif 000007
【図６】
2005330790.tif 000008
【図７】
2005330790.tif 000009
【図８】
2005330790.tif 000010
【図９】
2005330790.tif 000011
【図１０】
2005330790.tif 000012
【図１１】
2005330790.tif 000013
【図１２】
2005330790.tif 000014
【図１３】
2005330790.tif 000015
【図１４】
2005330790.tif 000016
【図１５】
2005330790.tif 000017
【図１６】
2005330790.tif 000018
【図１７】
2005330790.tif 000019
【図１８】
2005330790.tif 000020
【図１９】
2005330790.tif 000021
【図２０】
2005330790.tif 000022
【図２１】
2005330790.tif 000023
【図２２】
2005330790.tif 000024